(57)【要約】      （修正有）【課題】腰当て部の腰椎への押圧力を一定に保持し、腰部を矯正するコルセットを提供する。【解決手段】コルセット１は、腰部に押圧された状態で腰椎を矯正する腰当て部４と、腰当て部４を使用者の腰部に当てた状態で、腰当て部４を使用者の腰部に保持する第１の帯部２および第２の帯部３とを有する。腰当て部４は、両端部を互いに係合可能に設けた第１の帯部２および第２の帯部３との間に設けられ、第１の帯部２および第２の帯部３とには、帯部を長手方向に折り重ねてなる折り重ね部１０，１１を設け、第１の帯部２および第２の帯部３とには、折り重ね部１０、１１の折り重ね長さを調節する折り重ね部調節手段１６、１７をそれぞれ設けた。【選択図】図３
0003105014.tif 000002
【実用新案登録請求の範囲】
【請求項１】
腰部に押圧された状態で腰椎を矯正する腰当て部と、該腰当て部を使用者の腰部に当てた状態で、該腰当て部を使用者の腰部に保持する帯部とを有するコルセットであって、
上記腰当て部は、両端部を互いに係合可能に設けた第１の帯部と第２の帯部との間に設けられ、第１の帯部と第２の帯部との少なくとも一方の帯部には、帯部を長手方向に折り重ねてなる折り重ね部を設け、第１の帯部と第２の帯部との少なくとも一方の帯部に、上記折り重ね部の折り重ね長さを調節する折り重ね部調節手段を設けたことを特徴とするコルセット。
【請求項２】
上記折り重ね部調節手段が第１のベルトと第２のベルトとで構成され、
上記第１のベルトは、一端が折り重ね部の重なり合った帯部分の終端縁部に固定され、他端が第２のベルトを挿通する挿通部を備え、
上記第２のベルトは、一端が折り重ね部を有していない帯部に固定され、他端が第１のベルトの挿通部に挿通されて上記帯部に着脱可能に設けたことを特徴とする請求項１に記載のコルセット。
【請求項３】
上記第２のベルトの一端は、上記折り重ね部の折り重ね長さが最も短くなる位置で、上記帯部に固定したことを特徴とする請求項２に記載のコルセット。
【請求項４】
上記腰当て部が、腰椎に沿った湾曲面を有するとともに、上下辺にそれぞれ凹み部を形成した着脱自在な腰当て板を有することを特徴とする請求項１〜３のいずれか一に記載のコルセット。
【請求項５】
腰椎に沿った湾曲面を有するとともに、上下辺にそれぞれ凹み部を形成したことを特徴とする腰当て板。
【考案の詳細な説明】
【技術分野】
【０００１】
本考案は、腰部を矯正するコルセットに関する。
【背景技術】
【０００２】
従来から、帯部に伸縮性を有するゴム等を使用し、腰部を矯正する腰当て部を備えたコルセットが使用されている。
【考案の開示】
【考案が解決しようとする課題】
【０００３】
従来のコルセットは帯部が伸縮性を有していることから、コルセットの装着時において、使用者の胴部を帯部で適度に締め付けた場合であっても、コルセットの装着後には帯部自身が伸縮して帯部の胴部への締め付け具合が変化してしまい、腰当て部の腰椎への押圧力が一定に保持されないという問題点があった。
【０００４】
そこで、本考案は、胴部の締め付け具合、すなわち、腰当て部の腰椎への押圧力を一定に保持することができるコルセットを提供することを目的としている。
【課題を解決するための手段】
【０００５】
上記課題を解決するために、本考案のコルセットは、腰部に押圧した状態で腰部を矯正する腰当て部と、該腰当て部を使用者の腰部に当てた状態で、該腰当て部を使用者の腰部に保持する帯部とを有するコルセットであって、上記腰当て部は、第１の帯部と第２の帯部との間に設けられ、第１の帯部と第２の帯部との少なくとも一方の帯部には、帯部を長手方向に折り重ねてなる折り重ね部を設け、第１の帯部と第２の帯部との少なくとも一方の帯部に、上記折り重ね部の折り重ね長さを調節する折り重ね部調節手段を設け、第１の帯部と第２の帯部との両端部を互いに係合可能に設けたことを特徴としている。
【考案の効果】
【０００６】
本考案によれば、コルセット装着の際、折り重ね部調節手段を用いて折り重ね部の折り重ね長さを調節して帯部を胴部へ適度に締め付けることができ、また、装着後において、装着時に調節された帯部の適度な締め付け具合が保持される。これにより、腰当て部の腰椎への押圧力を一定に保持することができる。
【考案を実施するための最良の形態】
【０００７】
以下、添付図面を参照して本考案に係るコルセット１について説明する。図１に示すコルセット１は、概略、伸縮性を殆ど有さない布を帯形状に縫製して得られた第１の帯部２と第２の帯部３、及びこれらの間に設けられた腰当て部４とで構成されている。腰当て部４は腰当て板挿入口（ポケット）５を上側縁部分に備えており、この挿入口５から使用者の腰部に押圧した状態で腰部を矯正する腰当て板６が挿入してある。
【０００８】
第１の帯部２と第２の帯部３の終端部には、使用者の胴部に巻回した帯部２、３を留め合わせるためのファスナ７、８が縫い付けてある。なお、上記ファスナ７、８に代えて第１の帯部２と第２の帯部３の終端部の正面、及び背面に面ファスナを縫い付けてもよい。
【０００９】
第１の帯部２と腰当て部４との間には、折り重ね部１０が設けてある。折り重ね部１０は、第１の帯部２を該第１の帯部２の長手方向に、かつ腰当て部４の背面側に、平面視、及び底面視において（図中、矢印Ａ方向に見て）Ｚ文字形状となるように折り重ねて構成したものである。同様に、第２の帯部３と腰当て部４との間にも第２の帯部３を折り重ねて構成される折り重ね部１１が設けてある。
【００１０】
これら折り重ね部１０、１１には、図２、及び図３に示すように、折り重なった終端縁部のそれぞれの上下部分１２、１３、１４、１５に、折り重ね長さ調節手段１６、１７のベルト１８、１９がそれぞれ縫い付けられている。
【００１１】
折り重ね長さ調節手段１６は、ベルト１８の両端部を終端縁部１２と１３とに縫い合わせてＶ字形状とし、この頂点部分に縫い付けられたカン２０に、第２の帯部３に縫い付けられた引き出し用ベルト２１を挿通し、その先端部２２を第２の帯部３のファスナ８側の端部に折り返して構成される。上記先端部２２には面ファスナが縫い付けられており、第２の帯部３、及び第１の帯部２の背面側に縫い付けられた面ファスナ２３、２４に留め合わせることができるようになっている。
【００１２】
折り重ね長さ調節手段１７は、上記折り重ね長さ調節手段１６と同一の構成であることから説明を省略する。なお、対応部分の符号には５を加えて図示している。なお、コルセット１は、折り重ね部１０と折り重ね長さ調節手段１７、若しくは折り重ね部１１と折り重ね調節手段１６とのどちらか一方の組み合わせのみを備える構成としてもよい。
【００１３】
上記構成からなる折り重ね長さ調節手段１６と１７は、図４に示すように、引き出しベルト２１、２６をファスナ７、８側にそれぞれ引き出すことにより、カン２０、２５をファスナ７、８側に移動させて、折り重ね部１０、１１の折り重ねられた長さを長くする（コルセット１の全長を短くする）ことができる。なお、上記のように、ベルト１８、１９のＶ字形状の２つの端部が折り重ね部１０、１１の終端縁部のそれぞれ上下部分１２、１３、１４、１５にそれぞれ縫い合わせてあることから、折り重ね部１０、１１の終端縁部を平行移動するように引き出すことができる。これにより、上部分と下部分とで引き出される長さが相違して帯部２、３がねじれることが防止される。
【００１４】
また、上記動作とは逆に、図５に示すように、引き出し用ベルト２１、２６を腰当て部４側にそれぞれ引き戻すことにより、カン２０、２５を腰当て部４側に移動させて、折り重ね部１０、１１を短くする（コルセット１の全長を長くする）ことができる。
【００１５】
なお、上記のように引き出しベルト２１、２６を引き出すことでカン２０、２５がファスナ７、８側に移動するが、カン２０、２５は引き出し用ベルト２１、２６が帯部２、３に縫い付けられた部分２８、２９にそれぞれ当接してその移動が規制される（図４参照。）。本実施例では、引き出し用ベルト２１と２６とを最も引き出した状態、すなわち、折り重ね部１０、１１における折り重ね長さが最も短くなった状態において、折り重ね部１０から１１の長さが、腰当て部４の幅と等しくなるように引き出し用ベルト２１，２６を帯部２、３にそれぞれ縫い付けてある。これにより、引き出し用ベルト２１と２６を最大限に引き出した場合であっても、腰当て部４が両側から押し潰されるように変形することが防止される。
【００１６】
次に、腰当て板６について説明する。腰当て板６は、図６と７に示すように、ウレタン製の板材４０の正面（腰椎に対向する面）に、腰椎を保護するための短冊形状のクッション性を有する部材（クッション部材）４１と、このクッション部材４１を挟むようにして配置した２枚の略短冊形状の樹脂材からなる補強板４２、４３とを貼り付けた後、板材４０の表面を弾力性のある布材で覆って構成したものである。
【００１７】
腰当て板６は、全体が背面側に反った形状に設けられるとともに、上下の辺の中央部に、湾曲して凹んだ湾曲部４４が形成してある。この湾曲部４４は、腰当て板６の正面に押し当てられた使用者の腰椎が、短冊型のクッション部材４１に埋没する深さを規制している。なお、腰当て板６は、上記構成に限るものでなく、所定の強度を有する弾性材料を一体成型して作成したものであってもよい。
【００１８】
次に、コルセット１の使用方法について説明する。コルセット１の使用者は、図８に示すように、腰当て部４を腰に当てた状態で帯部２、３に縫い付けられたファスナ７、８を腹の上で留め合わせた後、右手と左手とでそれぞれ掴んだ引き出し用ベルト２１、２６を前方に引き出す。このようにして引き出し用ベルト２１、２６の引き出し長さを調節することで、折り重ね部の長さ、すなわちコルセット１の全長が調節されて、腰当て部４の腰椎への押圧具合を調節することができる。
【００１９】
コルセット１では、上記のように、引き出し用ベルト２１、２６の引き出し長さを調節することでコルセット１の締め付け具合が調節され、帯部２、３自体が伸張しないことから、使用者の胴部を帯部で適度に締め付ける状態が維持され、腰当て部の腰椎への押圧力を一定に保持することができる。
【００２０】
また、コルセット１は、腰当て部４に対して左右両側に設けられた引き出しベルト２１、２６を同一長さ引き出して帯部２、３の締め付け具合を調節することから、腰当て部４が腰の左側、若しくは右側にずれることが防止される。
【図面の簡単な説明】
【００２１】
【図１】本考案に係るコルセットの正面図である。
【図２】本考案に係るコルセットの背面図である。
【図３】本考案に係るコルセットを背面側から見た斜視図である。
【図４】本考案に係るコルセットの全長を最も短くした状態の背面図である。
【図５】本考案に係るコルセットの全長を最も長くした状態の背面図である。
【図６】腰当て板を背面側から見た斜視図である。
【図７】腰当て板の左側面図である。
【図８】本考案に係るコルセットの装着手順を示した図である。
【符号の説明】
【００２２】
１  コルセット
２、３  帯部
４  腰当て部
５  挿入口
６  腰当て板
７，８  ファスナ
１０、１１  折り重ね部
１２，１３，１４，１５  終端縁部
１６，１７  折り重ね長さ調節手段
１８，１９  ベルト
２０、２５  カン
２１、２６  引き出し用ベルト
２２，２７  先端部
２３、２４  面ファスナ
２８、２９  部分
４０  板材
４１  クッション部材
４２、４３  補強板
４４  湾曲部
【図１】
0003105014.tif 000003
【図２】
0003105014.tif 000004
【図３】
0003105014.tif 000005
【図４】
0003105014.tif 000006
【図５】
0003105014.tif 000007
【図６】
0003105014.tif 000008
【図７】
0003105014.tif 000009
【図８】
0003105014.tif 000010
【手続補正書】
【提出日】平成16年6月15日(2004.6.15)
【手続補正１】
【補正対象書類名】実用新案登録請求の範囲
【補正対象項目名】全文
【補正方法】変更
【補正の内容】
【実用新案登録請求の範囲】
【請求項１】
腰部に押圧された状態で腰椎を矯正する腰当て部と、該腰当て部を使用者の腰部に当てた状態で、該腰当て部を使用者の腰部に保持する帯部とを有するコルセットであって、
上記腰当て部は、両端部を互いに係合可能に設けた第１の帯部と第２の帯部との間に設けられ、第１の帯部と第２の帯部との少なくとも一方の帯部には、帯部を長手方向に折り重ねてなる折り重ね部を設け、第１の帯部と第２の帯部との少なくとも一方の帯部に、上記折り重ね部の折り重ね長さを調節する折り重ね部調節手段を設けたことを特徴とするコルセット。
【請求項２】
上記折り重ね部調節手段が第１のベルトと第２のベルトとで構成され、
上記第１のベルトは、一端が折り重ね部の重なり合った帯部分の終端縁部に固定され、他端が第２のベルトを挿通する挿通部を備え、
上記第２のベルトは、一端が折り重ね部を有していない帯部に固定され、他端が第１のベルトの挿通部に挿通されて上記帯部に着脱可能に設けたことを特徴とする請求項１に記載のコルセット。
【請求項３】
上記第２のベルトの一端は、上記折り重ね部の折り重ね長さが最も短くなる位置で、上記帯部に固定したことを特徴とする請求項２に記載のコルセット。
【請求項４】
上記腰当て部が、腰椎に沿った湾曲面を有するとともに、上下辺にそれぞれ凹み部を形成した着脱自在な腰当て板を有することを特徴とする請求項１〜３のいずれか一に記載のコルセット。